(57)【特許請求の範囲】
【請求項１】
浮遊幼生を沈着させる基質として用いる沈着基質ユニット(1)において、
所定の大きさの網目をもつネットを袋状に形成した可撓性のある袋網(2)と、
前記網目から脱落しない大きさの無機固体物の集合体からなる、前記袋網に充填された中詰め材(3，31)と、
前記袋網の内部における前記中詰め材の移動を阻止するべく、該袋網の全体に面内張力を生じさせた状態にて該袋網を締め付けて該袋網と該中詰め材とを互いに固定する締付手段と、を備え、
前記締付手段が、前記袋網の外面を周回させるとともに該袋網の内部を貫通させてかつ緊張させたロープであることを特徴とする沈着基質ユニット。
【請求項２】
浮遊幼生を沈着させる基質として用いる沈着基質ユニット(1)において、
所定の大きさの網目をもつネットを袋状に形成した可撓性のある袋網(2)と、
前記網目から脱落しない大きさの無機固体物の集合体からなる、前記袋網に充填された中詰め材(3，31)と、
前記袋網の内部における前記中詰め材の移動を阻止するべく該袋網を締め付ける締付手段と、を備え、
前記締付手段が、前記袋網を挟み込む一対の鋼製格子枠と、該一対の鋼製格子枠を互いに近づけるように両枠間に掛けてかつ緊張させたロープとを有することを特徴とする沈着基質ユニット。
【請求項３】
前記無機固体物が貝殻(3)または貝殻破砕物でありかつ前記貝殻または前記貝殻破砕物の各々における凸形状の表面(3a)を外側に向けて前記袋網(2)に充填されていることを特徴とする請求項１又は２に記載の沈着基質ユニット。
【請求項４】
前記無機固体物が石材(31)であることを特徴とする請求項１又は２に記載の沈着基質ユニット。
【請求項５】
請求項１〜４のいずれかに記載の沈着基質ユニットを、複数個用いて形成された浮遊幼生育成用構造物(10)であって、
隣り合う沈着基質ユニット同士が互いに当接して全体が面状に配置されていることを特徴とする浮遊幼生育成用構造物。
【請求項６】
前記複数個の沈着基質ユニットの全体を囲む鋼製枠を備えたことを特徴とする請求項５に記載の浮遊幼生育成用構造物。
【発明の詳細な説明】
【技術分野】
【０００１】
本発明は、浮遊幼生期をもつ有用な動植物を沈着または着生（以下、着生の意味も含めて単に「沈着」と称する場合がある）させるために水底に設置される沈着基質ユニット、並びにこの沈着基質ユニットを用いた浮遊幼生育成用構造物に関する。
【背景技術】
【０００２】
海洋や河川において砂泥が滞留する砂泥底質の水底は、概ね流速が緩やかであるため、浮遊幼生期をもつ有用な動物又は植物に属する生物（以下、「浮遊幼生」と称する）が集積されやすい。ここでの浮遊幼生は、例えばナマコ、アワビ、ウニまたは藻類などである。しかしながら、砂泥底質の水底は、岩礁域や礫底質の水底と異なり、幼生が掴まる場所(石岩質（生物種により礫や粗砂も含まれる）などの沈着する基質）が乏しいために沈着することができない。従って、砂泥底質の水底では、有用資源である浮遊幼生を沈着育成して生物資源として増殖利用することが難しい。
【０００３】
従来、砂泥底質の水底において、浮遊幼生の沈着とその後の成育を促進するために、人工的な沈着基質として投石やコンクリートブロックを投入する方法があったが、砂泥底質であるために投入物が潜掘や沈下を生じて、その効果を持続できず、さらに、潜掘や沈下した投入物の回収も困難であった。
【０００４】
また、浮遊幼生の沈着並びに繁茂・成育を促進する別の従来技術として、特許文献１には、ネット状の袋に多孔質材料を詰めて海底に敷き並べ、藻類を繁茂させて生物を増加させ、魚介類の生息環境を保全する方法が記載されている。動物類の浮遊幼生は、初期餌料として利用される微細藻類の糸状体や単細胞種が着生している基質を選択的に沈着し易い傾向が解明され、この点で貝殻・石材などは、表面積に比例した藻類量が確保できる沈着基質として必要、かつ好適である。
【０００５】
非特許文献１によれば、ホタテガイを沈着基質として用いた試験により、藻類などの植物性の浮遊幼生が沈着基質に着生して繁茂した環境下の方が、藻類の繁茂していない環境下に比べて、ナマコやアワビ、ウニなどの動物性の浮遊幼生が選択的に沈着し成育し易いことが判明している。これは、ナマコやアワビなどの浮遊幼生が、珪藻類などの微細藻類から出される誘起物質により沈着が促進され、さらにこれらの藻類を飼料として成育するためである。従って、人工的な沈着基質の条件としては、先ず、植物性の浮遊幼生（遊走子・配偶体・胞子体など）の着生生育を促進でき、さらにその後、動物性の浮遊幼生生物の沈着及び成育を促進できる形状と生息可能な内部構造を有するものが望ましい。
藻類の繁茂を促進する従来技術として、特許文献２には、人工魚礁に藻類を繁茂させるための海藻生育具が記載されている。これは、合成樹脂製の織布からなる袋体の内部に鉄鉱スラグを充填したものである。織布に藻類を沈着させると共に、鉄鉱スラグから海中に流出する微量元素が藻類の繁茂を促進するとされている。但し、この技術は、動物性の浮遊幼生の沈着及び成育を対象とするものではない。着生基質は織布であり、さらに天然由来の石材・貝殻ではなく人為的な物質と方法で微量元素の供給によるものである。
【０００６】
図１０は、透水性の入れ物に沈着基質(貝殻、石材等)を充填した沈着基質ユニットの従来技術の一例である。透水性の入れ物として、メッシュケースを用いている。図１０(Ａ)は外観斜視図であり、図１０(Ｂ)は、メッシュケースの材料の一部を示す平面図である。
図１０(Ａ)に示す沈着基質ユニット１００は、硬質プラスチック製の円筒状のメッシュケース１０２と、その中に沈着基質として充填された貝殻(カキやホタテガイ)からなる中詰め材１０３とから構成されている。メッシュケース１０２は、筒状部材とその両端開口を塞ぐ一対の平面部材とから形成されており、規格サイズは、長さ１００cm程度、直径１５cm程度である。作製方法は、先ず筒状部材の一端を１つの平面部材で塞ぎ、次に沈着基質である貝殻を内部に投入し、他端をもう１つの平面部材で塞いで完成する。なお、メッシュケース１０２の全体形状や孔の形状は、図示の例に限られない。
【０００７】
メッシュケース１０２の材料は、図１０(Ｂ)に示すように所定の幅Ｗの筋部１０２ａを、所定の大きさの孔１０２ｂをもつ格子状に形成した硬質プラスチックである。例えば、押出成型で作製できる。水底で長期間使用するものであるから耐久性が重視され、筋部１０２ａは、幅Ｗが５〜１０mm程度で厚みも２〜３mm程度あり、孔１０２ｂは(四角形の場合)一辺が２〜３cm(中詰め材の大きさによる)程度であった。また、硬質プラスチックであるから、全体形状を維持して自立する剛性を有しており、筋部１０２ａ及び孔１０２ｂの形状は、中詰め材を充填することで補強されるため水底の水流や波浪などではほとんど変形しない。
別の例として、金属製の網の中に石材を詰めた「じゃかご」も、硬質の沈着基質ユニットとして用いられる場合がある。
【特許文献１】特開２００６−２２３２９７号公報(段落００１４)
【特許文献２】実開平６−５５３４２号公報
【非特許文献１】日本水産学会誌71(1),83-85(2005)：短報「ホタテガイ貝殻リングを用いたエゾアワビ当歳貝の生息量評価」
【発明の開示】
【発明が解決しようとする課題】
【０００８】
図１０に示した従来の沈着基質ユニット１００には、以下のような問題点がある。
・メッシュケース１０２の筋部１０２ａが太く、藻類が最初に着生して、この藻類の陰影が形成されるため、中詰め材１０３に対する日照が遮られる結果、中詰め材上での藻類の着生が阻害され、繁茂しにくい環境が形成される。
・メッシュケース１０２の筋部１０２ａが太いことに加えて、メッシュケース１０２が硬質プラスチックで形状が一定であるために、メッシュケース１０２と中詰め材１０３の間に隙間が形成されることにより、波浪などで揺り動かされ、やがて貝殻では周辺から破損・減耗する。
・特に、中詰め材１０３として二枚貝の貝殻を使用する場合、ランダムに投入して詰め込んでいたため、図１０(Ａ)に示すように、凸状の表面１０３ａと凹状の裏面１０３ｂが様々な方向を向くことになる結果、凸面１０３ａが外側に向いて突出している外殻にだけ藻類が多く着生する傾向があった。
・硬質のメッシュケース１０２と中詰め材１０３と間に必ず隙間が生じることに加え、中詰め材は、貝殻や石材等の表面摩擦抵抗の大きい素材であるため、投入時には最密充填状態では詰め込まれず、余分な隙間が生じる。この結果、振動や水流によって中詰め材がケース内で移動する余地ができる。中詰め材は、ケース内で動くことによってさらに密に詰め込まれて目減りし、ますます動きやすくなる。また、中詰め材がケース内で頻繁に動く場合、静止している場合に比べて浮遊幼生の沈着は難しくなるばかりか減耗・消滅・逃避の原因となり生物類は散逸する。
・特に貝殻の場合は、ケース内で動きやすいと互いに衝突して破損消耗し、粒径が小さくなりメッシュケース１０２の網目から脱落するため、さらに目減りし易い。波浪の影響の大きい浅い水深の沿岸域では、短期間のうちにケース内の貝殻が消失することもあった。
【０００９】
なお、特許文献１では、透水性の入れ物として袋網(一応、柔軟と考えられる)を用いて中詰め材を充填しているが、柔軟な袋網に中詰め材を充填しただけでは、内部で中詰め材が動くことができるため、上記と同様に目減りや破損、減耗の問題が生じ生物類の沈着や生息場としては不適である。
【００１０】
本発明は、透水性の入れ物に沈着基質として中詰め材を充填してユニット化した沈着基質ユニットにおいて、日照が妨げられないような入れ物とし、入れ物と中詰め材との間にできるだけ隙間が生じないようにし、かつ中詰め材が内部で動かないようにすることにより、長期間に亘って浮遊幼生の沈着並びにその後の繁茂及び育成を促進できるようにすることを目的とする。また、このような沈着基質ユニットを用いた浮遊幼生育成用構造物を提供することを目的とする。
【課題を解決するための手段】
【００１１】
上記の目的を達成するために本発明は、以下の構成を提供する。括弧付きの数字は、後述する図面中の符号であり参考のために付する。
本発明による浮遊幼生を沈着させる基質として用いる沈着基質ユニット(1)の一形態は、所定の大きさの網目をもつネットを袋状に形成した可撓性のある袋網(2)と、前記網目から脱落しない大きさの無機固体物の集合体からなる、前記袋網に充填された中詰め材(3，31)と、前記袋網の内部における前記中詰め材の移動を阻止するべく、該袋網の全体に面内張力を生じさせた状態にて該袋網を締め付けて該袋網と該中詰め材とを互いに固定する締付手段と、を備え、前記締付手段が、前記袋網の外面を周回させるとともに該袋網の内部を貫通させてかつ緊張させたロープであることを特徴とする。
【００１２】
また、本発明による浮遊幼生を沈着させる基質として用いる沈着基質ユニット(1)の別の一形態は、所定の大きさの網目をもつネットを袋状に形成した可撓性のある袋網(2)と、前記網目から脱落しない大きさの無機固体物の集合体からなる、前記袋網に充填された中詰め材(3，31)と、前記袋網の内部における前記中詰め材の移動を阻止するべく該袋網を締め付ける締付手段と、を備え、前記締付手段が、前記袋網を挟み込む一対の鋼製格子枠と、該一対の鋼製格子枠を互いに近づけるように両枠間に掛けかつ緊張させたロープとを有することを特徴とする。
【００１３】
上記において、前記無機固体物が貝殻(3)または貝殻破砕物でありかつ前記貝殻または前記貝殻破砕物の各々における凸形状の表面(3a)を外側に向けて前記袋網(2)に充填されていることが好適である。
また、上記において、前記無機固体物は石材(31)でもよい。
【００１４】
本発明による浮遊幼生育成用構造物(10)は、上記の沈着基質ユニットを、複数個用いて形成され、隣り合う沈着基質ユニット同士が互いに当接して全体が面状に配置されていることを特徴とする。
さらに、上記の浮遊幼生育成用構造物において、複数個の沈着基質ユニットの全体を囲む鋼製枠を備えたことが好適である。
【発明の効果】
【００１５】
本発明による沈着基質ユニットは、所定の大きさの網目をもつネットを袋状に形成した可撓性のある袋網の中に、網目から脱落しない大きさの無機固体物の集合体を中詰め材として充填したものである。さらに、袋網の内部における前記中詰め材の移動を阻止するべく該袋網を締め付ける締付手段を備えている。
【００１６】
本発明の構成によれば、袋網が、所定の網目をもつ可撓性のあるネットからなるので、袋網による中詰め材への日照阻害が発生し難い。また、可撓性があるので、充填された中詰め材の外郭形状に沿うように袋網を密着させることが可能である。これにより、袋網と中詰め材との間に余分な隙間を生じないので、そのような余分な隙間に起因する中詰め材の目減りや破損などを生じ難い。この結果、安定した中詰め材の表面には珪藻類の着生が促進継続されるため、珪藻類を餌料とする浮遊幼生の沈着及び成育が促進される。
【００１７】
中詰め材が長期的に安定しているので、浮遊幼生の着生・沈着並びに繁茂及び成育が促進される。また、中詰め材同士の間に形成される隙間も安定するため、浮遊幼生の隠れ場として好ましい空間となり、保護・育成が促進される。
【００１８】
好適例では、中詰め材として入手しやすい二枚貝を用い、凸形状の表面を外側に向けて袋網に充填する。二枚貝の表面は、凸面に珪藻類が繁茂しやすくかつ表面積が大きいことにより、着生量が増大する。カキやホタテガイなどの貝殻は、生物の着生、生息に適した表面形状を有している上に、漁業系廃棄物として容易に入手できるので好ましい。ナマコ幼生の場合、紫外線や日照からの隠れ場として微細な起伏や空隙が有効である。
なお最密充填するために破砕した貝殻を混合、または破砕貝殻のみ採用することも可能で、対象生物に合わせた内部空隙の小型化も可能である。
【００１９】
中詰め材が石材の場合は、貝殻に比べて破損に強い点で好ましく、重量があるので水底における安定性がよい。また何処でも安価に安定的に入手できる点でも好ましい。さらに、対象生物により規格やサイズを変更できる。
【００２０】
中詰め材を充填した袋網の締付手段によれば、可撓性のある袋網を全体的に引っ張ることにより面内張力を生じさせた状態となり、この袋網の面内張力により中詰め材全体を外側から押圧する効果が得られる。この結果、袋網と中詰め材とがより安定して固定される。
【００２１】
また袋網により外郭が囲われるためウニなど藻食性の動物類による着生藻類の食害を抑制することができる。  
【００２２】
本発明による浮遊幼生育成用構造物は、上記の本発明による沈着基質ユニットを複数個用いて形成される。隣り合う沈着基質ユニットが互いに当接して面状に配置される。この結果、この構造物を設置した区画全体において、浮遊幼生育成環境を向上させることができる。先ず、各ユニットに植物の浮遊幼生が沈着し、珪藻などが繁茂することにより、各ユニットにアワビやナマコなどの動物の浮遊幼生が沈着し、生育することができる。
【００２３】
また、浮遊幼生育成用構造物は、複数個の沈着基質ユニットが互いに当接して面状に配置されるため、重量が一箇所に集中しない設置となる。よって、砂泥底質の水底であっても沈下や埋没が発生し難い。この結果、長期に亘って基質効果が得られるとともに、回収する場合も容易に回収できる。
【００２４】
また、複数個の沈着基質ユニットを鋼製枠で囲み収容することは、岩石底質の場合に有効である。これにより底質上に安定して設置できる。また、複数の枠体を連結することも可能であり、重量固定が実現される。
【００２５】
さらに、浮遊幼生育成用構造物に珪藻等が繁茂することにより、天然の浮遊幼生の沈着を促進するだけでなく、放流された人工種苗稚仔の飼料にもなるため、放流生物のその後の成長と健全な成育も促進し、散逸を防止して保護育成することができる。
【発明を実施するための最良の形態】
【００２６】
以下、本発明の実施例を示した図面を参照して実施の形態を説明する。
図１(Ａ)は、本発明による沈着基質ユニットの一実施例の外観平面図であり、図１(Ｂ)は、(Ａ)のＸ断面の概略図である。図１(Ｃ)は、(Ａ)の実施例における中詰め材を構成する１枚の貝殻の断面図である。
【００２７】
本発明による沈着基質ユニット１は、透水性の入れ物に沈着基質としての中詰め材を充填して一つのユニットとしたものであって、海洋や河川などの水底に設置して使用される。沈着基質ユニット１の全体形状は、図１(Ａ)の平面図において略矩形であり、図１(Ｂ)のＸ断面図に示すように、表面１ａと裏面１ｂが略平坦で所定の厚みをもつ扁平形状である。袋網２に中詰め材３を充填することによりこのような立体形状を形成するが、この全体形状は一例である。例えば、表裏面の矩形は一辺が２０〜５０cm程度、厚さは１０〜１５cm程度とするが用途と工法、設置場所などによりその形状と重量が決定されるため定形ではない。
【００２８】
図１(Ａ)に示すように、透水性の入れ物として、ネットを袋状に形成した袋網２を用いる。ここでのネットは、種々の素材の繊維からなる連続糸をメッシュ状に編んだものである。繊維の素材としては、水中での使用に適した耐久性及び強度を備えた合成繊維が好ましく、例えばナイロン、テトロン、ポリエステル、ビニロン、ポリエチレン、ポリプロピレンなど、さらに生分解性などの機能を持つ材質でもよい。糸は、引っ張り強度と耐久性に優れている点で長繊維のフィラメント糸が好適である。引っ張りや擦れ強度に優れた材質が好ましく、中詰め材質、総体重量、設置場所などの環境により決定されるが、袋網内部への日照や強度を阻害しない範囲で細いものが好ましい。例えば、漁網に用いられるようなネットが好適である。このようなネットは、網目を形成する各糸が任意の方向に自在に曲がることができるので、袋網全体として可撓性を有している。
なお、袋網の糸の太さは、袋網の形成寸法や重量、中詰め材寸法や設置方法などにより適宜設定される。例えば、市販の漁網製品であれば、０．５mm〜２．０mm程度が一般的である（但し、この範囲に限定しない）。一方、図１０に示した従来のメッシュケースでは、通常、筋部の幅が５mm以上あり太かったため日照が遮られていた。
袋網の網目の大きさは、中詰め材に応じて中詰め材が漏出しない大きさとする必要があるが、日照を阻害しないという観点から、中詰め材が漏出せずかつできるだけ大きな網目とすることが好ましい。
【００２９】
中詰め材３は、袋網２の網目から脱落しない大きさをもつ無機固体物の集合体であり、袋網２に充填されている。図１(Ａ)の実施例では、無機固体物として貝殻、特にカキとホタテガイを混合して用いている。別の実施例では、カキのみ、またはホタテガイのみ、その他の入手しやすい貝殻、または貝殻破砕物を混合充填してもよい。これらの貝殻は、通常、図１(C)の断面図に示すように、表面３ａが凸曲面、裏面３ｂが凹曲面の形状を有し、特に表面３ａは微細な起伏に富む。表面形状と複層形成される内部空隙（または構造）の複雑さは日照による紫外線からの幼体保護や外敵生物からの隠れ場として機能する。
【００３０】
図１(Ｂ)のＸ断面図に示すように、各貝殻は、その表面３ａが沈着基質ユニット１の外側を向くように袋網２に充填されている。これにより、水中に露出している沈着基質ユニット１の外面全体に対して、珪藻類の着生量を増やすことで浮遊幼生を満遍なく沈着させることが可能となる。図示の例では、沈着基質ユニット１の開口部は裏面１ｂの中央部分にあり、中詰め材３の充填後に適宜の閉止ロープ４ａで閉じられている（これについては図２で詳述する）。
【００３１】
さらに、図１(Ａ)に示すように、沈着基質ユニット１に対して縦方向及び横方向に必要数の締付ロープ４を周回させ、さらに、少なくとも１箇所（符号４ｂ）においてロープが沈着基質ユニット１を貫通し、中詰め材を中割りに通して締め付けている。これは、中詰め材３が袋網２の内部で移動しないようにするためである。また、可撓性のある袋網２を中詰め材３の外郭形状に沿わせて密着させる機能でもある。袋網２が中詰め材３に密着した状態においては、中詰め材３の一部が袋網２の網目から若干突出する場合もあるが、流れを乱す微地形の変化を与える効果が得られる。
【００３２】
図２Ａの(Ａ)(Ｂ)は、図１の沈着基質ユニット１の作製方法を示している。可撓性のある袋網２は、矩形の表面ネット材と裏面ネット材の二枚を重ねて周囲を閉じた袋状に形成されている。図２Ａ(Ａ)は、裏面側から見た図であり、裏面ネット材には中央縦方向の両端間に亘る開口部２ａが形成されている。中詰め材３を開口部２ａから充填していく。中詰め材３が二枚貝の場合は、表面が外側に向くように配置する。実施例では全体が所定の厚さの扁平形状となるように中詰め材３を充填する。
【００３３】
中詰め材３を充填し終えたならば、図２Ａ(Ｂ)に示すように、開口部２ａに沿って閉止ロープ４ａを通す。例えば、開口部２ａの両側を縫い合わせるように閉止ロープ４ａを袋網２の網目に通す充填に支障がなければ、中詰め材３を入れる前に閉止ロープ４ａを予め通しておいてもよい。なお、閉止ロープ４ａを袋網２の網目に通す際には、袋網２の余分な弛みを開口部２ａの方に手繰り寄せ（矢印参照）、袋網２を全体的に引っ張った状態とした上で閉止ロープ４ａを結び止める。これにより、袋網２の全体に面内張力が生じた状態となり、袋網２が外側から中詰め材３を弾性的に押圧する状態となる。
このように開口部２ａを閉じた後、さらに図１(Ａ)（Ｂ）に示した締付ロープ４を、複数箇所に回し掛けて、さらに中詰め材を中割りに通して、袋網２の外面を部分的に締め付ける。
締付ロープ４の素材は、水中での使用に適した耐久性と強度に加え、締付けによる緊張に耐え得る強度を備えたものとする。例えば、合成繊維製、炭素繊維製、鋼製索、ワイヤーロープ(繊維材と鋼材の混合製品も含む)などがある。
【００３４】
図２Ｂ(Ａ)〜(Ｄ)は、締付ロープ４の好適な締付方法を示した図である。締付ロープ４を締付金具４９により捻り締め付けることで、緊張させることができる。締付金具４９には、図示のように、丸棒形、Ｕ形、Ｖ形、Ｓ形等、種々の形状があり得る。締付金具４９は、例えば線状鋼材などで形成できる。締付金具４９を矢印のように回転させると、これに掛かっている締付ロープ４が撚り合わされる。締付ロープ４が緊張させられ、袋網２は内側に変形するので袋網２の面内張力がさらに高められる。締付ロープ４に適度な捻りを加えた後、締付金具４９は、締付ロープ４の戻りを停止させるストッパーの役割も果たす。戻り停止ストッパとする場合、締付金具４９を袋網２の上に寝かせ、その両端をネットの適宜の箇所に固定(例えば巻き付けや結び付け)することができる。
これらの締付手段により、袋網２と中詰め材３とが互いに一体となるように固定される。中詰め材３は内部で移動せず、中詰め材３同士の間の隙間も安定する。袋網２は、中詰め材３の外郭形状に沿って密着する。
【００３５】
図３は、本発明による沈着基質ユニット１の別の実施例である。図３(Ａ)は、中詰め材３１として用いた石材の集合体を示し、図３(Ｂ)は沈着基質ユニット１の外観平面図である。石材は、天然の石又は砕石であり、粒径は、対象生物により設定され、数ミリから人頭大程度と想定される。作製方法は、図２Ａ及び図２Ｂに示した方法と同様であるが、二枚貝と異なり特定の向きで配置する必要はない。
図示しないが、中詰め材とする無機固体物の別の例として、セラミックなど無害が証明される無機質砕片でもよい。
【００３６】
図４(Ａ)〜(Ｄ)は、本発明による沈着基質ユニット１の全体形状及び締付ロープ４による締付方法について、幾つかの例を概略的に示しており、各図の上図が外観斜視図、下図が断面図である。実際には、充填された中詰め材が袋網の外側から見えるが、図示を省略している(以下、図８まで同様)。
図４(Ａ)は、平面視において略矩形であって所定の厚みをもつ扁平な全体形状をもつ実施例である。袋網２の外面を縦横１本ずつの締付ロープ４で締め付け、さらに中央の１箇所で中詰め材を中割りに通し、締め付け固定している（符号４ｂ）。
図４(Ｂ)は、扁平形状の別の実施例である。縦横２本ずつの締付ロープ４で締め付け、さらに４箇所で中詰め材を中割りに通し、締め付け固定している（符号４ｂ）。
図４(Ｃ)は、円筒形状の全体形状をもつ実施例である。円筒の一端が開口部２ａとなっている。筒周りの２箇所を締付ロープ４で締め付け、さらに他端から筒軸上を開口部２ａまで貫通するように中詰め材を中割りに通し、、締め付け固定している（符号４ｂ）。
図４(Ｄ)は、円筒形状の全体形状をもつ別の実施例である。筒周りの３箇所を締付ロープ４で締め付け、さらに他端から筒軸上を開口部２ａまで貫通するように中詰め材を中割りに通し、締め付け固定している（符号４ｂ）。
【００３７】
図５Ａ(Ａ)(Ｂ)は、本発明による沈着基質ユニット１の袋網と中詰め材を固定する固定手段について、別の実施例を示す図である。図５Ａ(Ａ)は平面図、図５Ａ(Ｂ)は概略的なＹ断面図である。袋網２には中詰め材が充填され、開口部が閉じられている。袋網２の上面に２本の上部丸鋼４５を、下面に２本の下部丸鋼４７を、それぞれ平行に配置する。一組の上部丸鋼４５と下部丸鋼４７における２箇所に締付ロープを掛け回し、中割りに通す(符号４ｂ)。上部丸鋼４５と締付ロープの間の隙間に、締付金具４６を差し込み、矢印のように回転させ、締付ロープを締め込む。締付金具４６は、ストッパー突起４６ａを設けたＬ形である。締付ロープに適度な捻りを加えた後、ストッパー突起４６ａを上部丸鋼４５に引っ掛けて戻り止めとする。
【００３８】
図５Ｂ(Ａ)(Ｂ)は、本発明による沈着基質ユニット１の袋網と中詰め材を固定する固定手段について、それぞれ別の実施例を示す図である。袋網には既に中詰め材が充填され、開口部が閉じられている。
図５Ｂ(Ａ)の実施例では、扁平な全体形状をもつ沈着基質ユニット１の表面に十字型の押さえ具４１を載置し、押さえ具４１の中心において厚さ方向にボルト４２を貫通させ、裏面中央部分に当接させた支持板４３を通してナット４４で締め込み、固定している。
図５Ｂ(Ｂ)の実施例では、沈着基質ユニット１の表面に等間隔で３つの円形押さえ具(ボルト４２の座金に相当する)４１を配置し、各押さえ具４１にそれぞれボルト４２を厚さ方向に貫通させ、裏面全体を支持するように当接させた支持板４３に穿設したボルト孔４３ａに対して締め込み、固定している。
【００３９】
図５Ｃ(Ａ)(Ｂ)は、本発明による沈着基質ユニット１の袋網と中詰め材を固定する固定手段について、別の実施例を示す図である。図５Ｃ(Ａ)は締付前の、図５Ｃ(Ｂ)は締付後の外観斜視図である。袋網２には既に中詰め材が充填され、開口部が閉じられている。
図５Ｃ(Ａ)に示すように、一対の鋼製格子枠４８ａ、４８ｂにより袋網２を上側と下側から挟み込むように配置する。鋼製格子枠４８ａ、４８ｂの四隅において締付ロープをそれぞれ掛け回す。図示の例では、上側の鋼製格子枠４８ａと締付ロープ４の間の隙間に、図２Ｂ(Ｂ)に示したＵ形の締付金具４９を差し込み、回転させることにより締付ロープ４を捻ることで締付ロープ４を絞り込み緊張させる。これにより、鋼製格子枠４８ａと４８ｂを互いに近づけ、袋網２を上下から押圧し、袋網２を緊張させる。なお、図５Ｃ(Ｂ)に破線で示すように、別の沈着基質ユニット１を隣接させて連結することができる。
【００４０】
上記の本発明による沈着基質ユニット１は、複数個を互いに当接するように面状に配置し連結することにより浮遊幼生育成用構造物１０を構築することができる。以下の図６Ａ〜図６Ｃは、本発明による浮遊幼生育成用構造物１０の固定方法の例を示しており、水底の種類によって適切な固定方法を選択できる。
【００４１】
図６Ａ(Ａ)〜(Ｃ)は、砂泥底質の場合の固定方法である。
図６Ａ(Ａ)では、先ず水底にロープ５を張設し、その上に複数個の沈着基質ユニット１を配置して、それぞれロープ５と連結するとともに、隣接するユニット同士も連結する(符号５ａ)。ロープ５の両端には、漁業用の爪アンカーなどのアンカー８が取り付けられている。ロープ５の替わりにネットを敷設してもよい。
図６Ａ(Ｂ)では、図６Ａ(Ａ)の爪アンカーに替えて、砂泥底質打込みアンカーを用いている。
図６Ａ(Ｃ)では、軟弱地盤用ネット(沈下防止ネット)７を敷設し、その上に複数個の沈着基質ユニット１を配置し、それぞれネット７と連結するとともに、隣接するユニット同士も連結する。軟弱地盤用ネット７の四隅には、爪アンカーなどのアンカー８が取り付けられている。
【００４２】
図６Ｂ(Ａ)は、岩盤・砂泥共用の固定方法である。水底にロープ５又はネットを張設し、その上に複数個の沈着基質ユニット１を面状に密着配置させ、さらに複数の段となるように鉛直方向に積み重ねている。これは、重量を利用した固定方法の例である。
図６Ｂ(Ｂ)は、岩盤での鋼製アンカーピンの固定方法の例を示している。アンカーピン７３を用いる場合は、アンカーピン７３の頭部の環と、沈着基質ユニットとをロープなどで連結すればよい。アンカーピン７３を岩盤に固定する場合は、先ず、必要な深さだけ岩盤を削孔する（符号７０）。１つの方法では、この孔に対して接着剤７１を充填した後に、アンカーピン７３を押し入れる。別の方法では、アンカーピン７３を孔に押し入れた後、孔壁との隙間に打撃振動で砂を充填する。これは、摩擦抵抗を利用した固定方法の例である。
【００４３】
図６Ｃ(Ａ)(Ｂ)は、転石海底での固定方法である。
図６Ｃ(Ａ)では、自然石である転石７５の隙間に嵌め込むように、比較的大型の袋網を用いた沈着基質ユニット１を設置する。これも、重量と海底の地形との間に得られる摩擦抵抗を利用した固定方法の例である。
図６Ｃ(Ｂ)では、転石７５の間の水底に沈着基質ユニット１を密着配置し、さらにその上に投石７６を設置する方法である。これも、重量を利用した固定方法の例である。
【００４４】
図７は、砂泥底質の場合の固定方法を適用した浮遊幼生育成用構造物１０の一実施例を示す外観斜視図である。
図示の例では、水底Ｇに１２個の沈着基質ユニット１が３列×４列で面状に並設されている。各沈着基質ユニット１は、隣り合うものと互いに側面を当接させている。両端に位置する一列３個の沈着基質ユニット１の外側面に沿って一対の錘ロッド６がそれぞれ置かれている。錘ロッド６は、例えば鋼棒である。錘ロッド６には漁業用アンカー８が取り付けられ、これにより水底Ｇに固定されている。
【００４５】
また、一列に並んだ４個の沈着基質ユニット１に対し、１本の連結ロープ５が、各ユニット１の袋網端部に併設された補強ロープに接合され、これにより一列４個のユニット１が互いに連結される。図示の例では、合計３本の連結ロープ５が用いられている。各連結ロープ５の両端５ａは各錘ロッド６に固定されている。この結果、１２個の沈着基質ユニット１の全体が、一体に連結されたことになる。なお、連結ロープ５の実施例は、図示の例に限られず、種々の連結方式が可能である。各ユニット１の締付ロープに余分な長さをもたせておき、それを隣のユニット１との連結ロープとして用いてもよい。
【００４６】
図８は、砂泥底質の場合の固定方法を適用した浮遊幼生育成用構造物１０の別の実施例を示す外観斜視図である。
図７の実施例と異なる点は、錘ロッドの替わりに鋼製枠９を設け、その中に１２個の沈着基質ユニット１を収容していることである。連結ロープ５の両端５ａは、鋼製枠９の孔９ａに固定されている。鋼製枠９は、その外面に取り付けた漁業用アンカー８により水底Ｇに固定されている。複数の鋼製枠９を次々に連結することにより、浮遊幼生育成用構造物１０を水平方向に拡張することができる。図示しないが、鋼製枠は、立体的な駕籠形状としてもよい。
【００４７】
図９は、本発明による沈着基質ユニット１(図３(Ｂ)に示した石材充填の実施例)を水底Ｇに設置し、所定の期間が経過した後の状況を示す図である。珪藻２０が沈着基質ユニット１の外面全体に繁茂している（糸状体の模式図で単細胞の珪藻にあっては図に表現していない）。珪藻２０が繁茂することにより、動物性の浮遊幼生の沈着、成育が促進される。
【００４８】
図示しないが、本発明による浮遊幼生育成用構造物の別の実施例を挙げる。先ず、石材充填の沈着基質ユニットを複数個並べて面状に敷設し、その上の要所に貝殻を収容した沈着基質ユニットを取り付ける。これにより、中詰め材質の変化のみならず、水底の地形的な変化を、石材と貝殻の沈着基質ユニットを併設することで固定できる。従って、この貝殻基質に人工的に浮遊幼生を沈着させた上で、所定の場所へ移設すれば人工種苗を極めて天然由来に近い種苗に置き換えることが可能となり、中間育成などの生産経費の削減が可能となる。
【図面の簡単な説明】
【００４９】
【図１】(Ａ)は、本発明による沈着基質ユニットの一実施例の外観平面図であり、(Ｂ)は、(Ａ)のＸ断面の概略図である。(Ｃ)は、(Ａ)の実施例における中詰め材を構成する貝殻の断面図である。
【図２Ａ】図１の沈着基質ユニットの作製方法を示している。(Ａ)は開口部を閉じる前であり、(Ｂ)は開口部を閉じた後である。
【図２Ｂ】(Ａ)〜(Ｄ)は、締付金具による締付ロープの締付方法を示す図である。
【図３】本発明による沈着基質ユニット１の別の実施例であり、(Ａ)は、中詰め材として用いた石材の集合体を示し、(Ｂ)は沈着基質ユニットの外観平面図である。
【図４】(Ａ)〜(Ｄ)は、本発明による沈着基質ユニットの全体形状及び締付ロープによる締付方法について、幾つかの例を概略的に示す外観斜視図である。
【図５Ａ】(Ａ)(Ｂ)は、本発明による沈着基質ユニットの袋網と中詰め材を固定する固定手段について、別の実施例を示す図である。
【図５Ｂ】(Ａ)(Ｂ)は、本発明による沈着基質ユニットの袋網と中詰め材を固定する固定手段について、別の実施例を示す図である。
【図５Ｃ】(Ａ)(Ｂ)は、本発明による沈着基質ユニットの袋網と中詰め材を固定する固定手段について、別の実施例を示す図である。
【図６Ａ】(Ａ)〜(Ｃ)は、沈着基質ユニットを用いた浮遊幼生育成用構造物の固定方法の例を示す外観斜視図である。
【図６Ｂ】(Ａ)(Ｂ)は、沈着基質ユニットを用いた浮遊幼生育成用構造物の固定方法の例を示す外観斜視図である。
【図６Ｃ】(Ａ)(Ｂ)は、沈着基質ユニットを用いた浮遊幼生育成用構造物の固定方法の例を示す外観斜視図である。
【図７】沈着基質ユニットを用いた浮遊幼生育成用構造物の実施例を示す外観斜視図である。
【図８】沈着基質ユニットを用いた浮遊幼生育成用構造物の別の実施例を示す外観斜視図である。
【図９】図３に示した石材を充填した沈着基質ユニットを水底に設置した後に珪藻が繁茂した状態を示す側面図である。
【図１０】透水性の入れ物に沈着基質を充填して１つのユニットとした沈着基質ユニットの従来技術の一例である。
【符号の説明】
【００５０】
１  沈着基質ユニット
１ａ  ユニット表面
１ｂ  ユニット裏面
２  袋網
２ａ  開口部
３  中詰め材（貝殻）
３ａ  貝殻表面
３ｂ  貝殻裏面
３１  中詰め材（石材）
４  締付ロープ
４ａ  閉止ロープ
４ｂ  中割り通し部分
４８ａ、４８ｂ  鋼製格子枠
４６  締付金具(ストッパー突起付)
４９  締付金具
５  連結ロープ
６  錘ロッド
７  軟弱地盤用ネット
７３  アンカーピン
８  アンカー（漁業用アンカーまたは砂泥底質打込みアンカー）
９  鋼製枠
９ａ  ロープ孔
１０  生物育成構造物
２０  珪藻
Ｇ  水底
１００  沈着基質ユニット
１０２  ネットケース
１０３  中詰め材(貝殻)
１０３ａ  貝殻表面
１０３ｂ  貝殻裏面
【図１】
0005162291.tif 000002
【図２Ａ】
0005162291.tif 000003
【図２Ｂ】
0005162291.tif 000004
【図３】
0005162291.tif 000005
【図４】
0005162291.tif 000006
【図５Ａ】
0005162291.tif 000007
【図５Ｂ】
0005162291.tif 000008
【図５Ｃ】
0005162291.tif 000009
【図６Ａ】
0005162291.tif 000010
【図６Ｂ】
0005162291.tif 000011
【図６Ｃ】
0005162291.tif 000012
【図７】
0005162291.tif 000013
【図８】
0005162291.tif 000014
【図９】
0005162291.tif 000015
【図１０】
0005162291.tif 000016